(57)【要約】      （修正有）【課題】他のユーザによって原稿を読み取られることなく、また原稿を持ち去られることなく、ネットワーク端末からの原稿読み取り指示を実行することが可能な原稿読み取りシステムを提供する。【解決手段】携帯端末３００から画像形成装置１００に対して原稿読み取り指示を与える場合、携帯端末と画像形成装置の接続確立時と原稿設置後に画像形成装置に対してユーザ情報をそれぞれ入力し、入力された２つのユーザ情報が一致した場合のみ原稿読み取りの実行を開始する。【効果】ユーザが原稿を設置する際にユーザ情報を入力することで原稿読み取りが実行されるため、原稿設置と原稿読み取り指示の間に原稿が持ちされる危険性を回避できる。【選択図】図１
2017028470.tif 000002
【特許請求の範囲】
【請求項１】
ネットワークに接続可能な画像形成装置（１００）と、携帯端末（３００）により構成される原稿読み取りシステムであって、
前記画像形成装置（１００）は、原稿を読み取る原稿読み取り手段（１３０）と、
前記原稿読み取り手段に原稿が設置されているかを検知する原稿検知手段（１３１）と、
前記画像形成装置１００の情報を表示する表示手段（１２０）と
前記画像形成装置１００を操作する操作手段（１２０）と
第１のユーザ情報および第２のユーザ情報を記憶する記憶手段（１０４）と、
前記第１のユーザ情報および前記第２のユーザ情報を比較し、一致するか判断するための比較手段（ＳＡ６０２／ＣＰＵ１０１）と、
非接触な無線通信（７００）を行う無線通信手段（１０７）とを備え、
前記携帯端末（３００）は、非接触な無線通信（７００）を行う無線通信手段（３０７）と
前記ユーザ情報を前記画像形成装置（１００）に設定するためのユーザ情報入力手段（３０４）と
前記画像形成装置（１００）の処理設定を行うための設定手段（３０４／ＣＰＵ３０１）とを備え、
前記画像形成装置（１００）は、前記携帯端末（３００）から受信した前記第１のユーザ情報を前記記憶手段（１０４）に記憶した後、前記無線通信手段（１０７／３０７）によって前記携帯端末３００から受信した前記第２のユーザ情報が入力されたときに、前記第１のユーザ情報と前記第２のユーザ情報を比較手段（ＳＡ６０２／ＣＰＵ１０１）によって比較し、比較結果が一致した場合に前記携帯端末３００の前記設定手段（３０４／ＣＰＵ３０１）によって設定された処理設定にもとづいて、原稿の読み取りを行うことを特徴とする原稿読み取りシステム。
【請求項２】
前記比較手段（ＳＡ６０２／ＣＰＵ１０１）による比較結果が一致した場合に、前記原稿検知手段（１３１）によって原稿読み取り手段（１３０）に原稿が設置されているかを検知し、原稿が設置されている場合は原稿の読み取りを行い、原稿が設置されていない場合に、前記表示手段（１２０）に原稿を設置するように表示し、また原稿設置完了を示す原稿設置完了ボタン（ＳＡ８１３／１２０）を表示し、原稿設置ボタンが押下された場合に、再び原稿読み取り手段（１３０）に原稿が設置されているかを検知することを特徴とする請求項１に記載の画像形成装置。
【請求項３】
前記処理設定は、前記画像形成装置１００が原稿を読み取る際に用いる処理設定であり、少なくとも読み取った原稿の送信先や読み取り解像度、カラー／白黒設定、出力ファイル形式、片面／両面設定、原稿サイズのいずれかを含むことを特徴とする請求項１に記載の画像形成装置。
【請求項４】
前記第１のユーザ情報および前記第２のユーザ情報は、原稿読み取り指示を行ったユーザを識別するための情報であり、少なくともユーザＩＤや社員番号、前記携帯端末３００を識別する為の機器固有情報のいずれかを含むことを特徴とする請求項１に記載の画像形成装置。
【発明の詳細な説明】
【技術分野】
【０００１】
本発明は、複合機に無線接続された携帯端末からの原稿読み取りシステムに関する。
【背景技術】
【０００２】
従来、スキャナ部を備えた複合機をネットワークに接続し、ネットワークに接続されたＰＣ、またはスマートフォンやタブレットＰＣといった携帯端末等のネットワーク端末から原稿読み取り指示を実行させることが行われている。
【０００３】
このような原稿読み取りシステムにおいて、携帯端末で動作可能な専用アプリケーションを予めインストールしておくことで、携帯端末を複合機の操作部として使用し、複合機のスキャナ部に設置された原稿を読み取ることが可能である。
【０００４】
また、このような原稿読み取りシステムにおいて、原稿の読み取り指示は複合機の操作部と携帯端末のアプリケーションのどちらからも実行可能である。そのため、原稿の読み取りを行うためにユーザがスキャナ部に原稿を設置した後、原稿を設置したユーザとは別のユーザが携帯端末から原稿読み取り指示を行った場合、誤って原稿を読み取られてしまうといった課題がある。
【０００５】
このような課題を解決する為に、原稿設置時に複合機の操作部から入力されたＩＤと、ネットワーク端末に入力されたＩＤが一致した場合のみ、複合機が原稿の読み取りを開始するといった技術がある（特許文献１参照）。
【先行技術文献】
【特許文献】
【０００６】
【特許文献１】特開２００２−３３８５９号公報
【発明の概要】
【発明が解決しようとする課題】
【０００７】
上記の技術は、原稿を設置時に操作部からＩＤを入力した際に、ユーザが原稿設置した後にネットワーク端末から読取指示を出すまでの間に他のユーザによって原稿を持ち去られないようにするためのものである。そのために、原稿設置後にスキャナ部を物理的に施錠することでセキュリティ性を確保している。
【０００８】
しかしながら、ユーザによってネットワーク端末から原稿読み取り指示が実行されず、所定時間を経過すると自動的にスキャナ部が解錠され原稿が排出されてしまうため、原稿を他者に持ち去られてしまう可能性があるという課題があった。
【課題を解決するための手段】
【０００９】
上記の課題を解決するために、本発明に係る原稿読み取りシステムは、
ネットワークに接続可能な画像形成装置（１００）と、携帯端末（３００）により構成される原稿読み取りシステムであって、
前記画像形成装置（１００）は、原稿を読み取る原稿読み取り手段（１３０）と、
前記原稿読み取り手段に原稿が設置されているかを検知する原稿検知手段（１３１）と、
前記画像形成装置１００の情報を表示する表示手段（１２０）と
前記画像形成装置１００を操作する操作手段（１２０）と
第１のユーザ情報および第２のユーザ情報を記憶する記憶手段（１０４）と、
前記第１のユーザ情報および前記第２のユーザ情報を比較し、一致するか判断するための比較手段（ＳＡ６０２／ＣＰＵ１０１）と、
非接触な無線通信（７００）を行う無線通信手段（１０７）とを備え、
前記携帯端末（３００）は、非接触な無線通信（７００）を行う無線通信手段（３０７）と
前記ユーザ情報を前記画像形成装置（１００）に設定するためのユーザ情報入力手段（３０４）と
前記画像形成装置（１００）の処理設定を行うための設定手段（３０４／ＣＰＵ３０１）とを備え、
前記画像形成装置（１００）は、前記携帯端末（３００）から受信した前記第１のユーザ情報を前記記憶手段（１０４）に記憶した後、前記無線通信手段（１０７／３０７）によって前記携帯端末３００から受信した前記第２のユーザ情報が入力されたときに、前記第１のユーザ情報と前記第２のユーザ情報を比較手段（ＳＡ６０２／ＣＰＵ１０１）によって比較し、比較結果が一致した場合に前記携帯端末３００の前記設定手段（３０４／ＣＰＵ３０１）によって設定された処理設定にもとづいて、原稿の読み取りを行うことを特徴とする。
【発明の効果】
【００１０】
本発明に係る原稿読み取りシステムによれば、他のユーザによって原稿を読み取られることなく、また原稿を持ち去られることなく、ネットワーク端末からの原稿読み取り指示を実行することが可能である。
【図面の簡単な説明】
【００１１】
【図１】システムの全体構成を示す図
【図２】画像形成装置の構成を示すブロック図
【図３】携帯端末の構成を示すブロック図
【図４】ＮＦＣ制御部の構成を示すブロック図
【図５】画像形成装置と携帯端末の離れた状態と近接した状態を示す図
【図６】第１の実施形態における画像形成装置と携帯端末の処理を示すフローチャート
【図７】第１の実施形態における携帯端末で処理設定を送信する際の表示例を示す図
【図８】第２の実施形態における携帯端末で処理設定を送信する際の表示例を示す図
【発明を実施するための形態】
【００１２】
以下、本発明を実施するための最良の形態について図面を用いて説明する。尚、以下の実施形態において示す構成は一例に過ぎず、本発明は図示された構成に限定されるものではない。
【００１３】
［第１の実施形態］
図１はシステムの全体構成を示す図である。
【００１４】
本システムは、画像形成装置１００、パーソナルコンピュータ（ＰＣ）２００、携帯端末３００、無線ＬＡＮアクセスポイント５００、ローカルエリアネットワーク（ＬＡＮ）６００より構成される。
【００１５】
画像形成装置１００は、コピー機能、プリント機能、スキャン機能を有しており、更に、こうした機能を使用するユーザの認証機能も備えている。ユーザの認証は、ユーザのＩＤ情報が記録された認証カード（不図示）を使用する。画像形成装置１００は、ＮＦＣ（ＮｅａｒＦｉｅｌｄ Ｃｏｍｍｕｎｉｃａｔｉｏｎ）通信７００を介して認証カード（不図示）が有するユーザのＩＤ情報を受信し、画像形成装置１００内に保持された認証用データベース（不図示）に基づいてユーザ認証を行う。
【００１６】
ＮＦＣはＲＦＩＤ（Ｒａｄｉｏ Ｆｒｅｑｕｅｎｃｙ ＩＤｅｎｔｉｆｉｃａｔｉｏｎ）と互換性を持つ近距離無線通信手段の一つであり、その仕様には３つの機能が規定されている。１つ目は、リーダ／ライタ機能であり、先のＲＦＩＤタグリーダ／ライタと同等の動作を実施することができる。２つ目は、カードエミュレーション機能であり、先のＲＦＩＤタグと同等の動作を実施することができる。３つ目は、ピアツーピア機能であり、ＮＦＣを介して様々なデータの送受信が可能である。ＮＦＣ機能搭載携帯端末には、リーダ／ライタが実装されており、それを利用することでＲＦＩＤカードやＮＦＣカードに対してデータの読み出しや、書き込みを行うことができる。また別途、ユーザのＩＤ情報を保持し、認証処理を行うサーバ（不図示）を用意し、ＬＡＮ６００を介して認証処理を実施する構成でも良い。
【００１７】
ＰＣ２００は、画像形成装置１００に印刷ジョブを送信し、また、画像形成装置１００が電子化したデータを参照することができる。
【００１８】
携帯端末３００は、ＮＦＣ通信７００機能、無線ＬＡＮ通信８００機能、等を備えた持ち運び可能な情報処理端末であり、スマートフォンやタブレットＰＣ等がこれにあたる。携帯端末３００は、ＮＦＣ通信７００を介して画像形成装置１００との通信を行うことができ、送受信される情報として、ＩＰアドレスの授受、ユーザのＩＤ情報送信等が挙げられる。また、携帯端末３００は、無線ＬＡＮ通信８００を介して携帯端末３００内の画像データを画像形成装置１００に送信することで、画像データの印刷を実行することができる。
【００１９】
無線ＬＡＮアクセスポイント５００は、無線ＬＡＮインターフェースを有する携帯端末３００、等とＬＡＮ６００に接続されている機器との通信を可能とする機能を有する。本発明の第１の実施形態における無線通信インターフェースでは無線ＬＡＮを使用したシステム構成を用いているが、Ｂｌｕｅｔｏｏｔｈ（登録商標）等のその他の無線通信技術を使用しても良い。ＬＡＮ６００は、イーサネット（登録商標）等で実現されるネットワーク接続であり、画像形成装置１００、ＰＣ２００、無線ＬＡＮアクセスポイント５００は、ＬＡＮ６００を介して接続されている。
【００２０】
図２は本発明の画像形成装置１００の構成を示すブロック図である。
【００２１】
ＣＰＵ１０１は、画像形成装置全体を制御する中央演算ユニットである。
【００２２】
ＲＡＭ１０２は、ＣＰＵ１０１が演算に用いるデータを一時的に格納する為のワークメモリである。
【００２３】
ＲＯＭ１０３は、画像形成装置１００の起動に用いるプログラムが格納されており、主に画像形成装置１００の起動の際に使用される。
【００２４】
ＨＤＤ１０４は、画像形成装置１００の制御に関するソフトウェアや各種設定、保存された文書等を格納するハードディスクドライブ（ＨＤＤ）である。
【００２５】
操作部１２０は、画像形成装置１００とユーザ間での情報の入出力を行うものであり、ＬＣＤおよびタッチパネルにて構成される。
【００２６】
操作部Ｉ／Ｆ１０５は、操作部１２０に対するインターフェースであり、操作部１２０に入力および出力したいデータを中継する。
【００２７】
ネットワークＩ／Ｆ１０６は、ＬＡＮ６００を介して外部機器とのデータの送受信を行うためのインターフェースである。
【００２８】
画像形成装置１００がＰＣ２００や携帯端末３００からネットワークＩ／Ｆ１０６を介して受信した画像データは、プリンタ部１４０によってプリントされる。また、スキャナ部１３０で読み取られた原稿は、ネットワークＩ／Ｆ１０６を介してＰＣ２００や携帯端末３００に送信される。
【００２９】
ＮＦＣ制御部１０７は、ＮＦＣ通信を行うための制御を行う。アンテナ１０８は、ＮＦＣ通信を行うためのアンテナであり、外部機器との間でＮＦＣ通信によって発生する電波の送受信を行う。
【００３０】
ＣＰＵ１０１、ＲＡＭ１０２、ＲＯＭ１０３、ＨＤＤ１０４、操作部Ｉ／Ｆ１０５、ネットワークＩ／Ｆ１０６およびＮＦＣ制御部１０７は、システムバス１１４を介して接続されている。イメージバスＩ／Ｆ１０９は、システムバス１１４と画像処理を担当する各ブロックを接続している画像バス１１５との中継、データ構造の変換を担う。
【００３１】
画像バス１１５には、ＲＩＰ１１０、デバイスＩ／Ｆ１１１、プリンタ画像処理部１１２、スキャナ画像処理部１１３が接続されている。
【００３２】
ＲＩＰ１１０は、ラスタイメージプロセッサ（ＲＩＰ）であり、ページ記述言語（ＰＤＬ）コードやディスプレイリストをビットマップイメージに変換する。
【００３３】
デバイスＩ／Ｆ部１１１は、スキャナ部１３０やプリンタ部１４０と画像バス１１５を接続するインターフェースである。デバイスＩ／Ｆ１１１は、スキャナ部１３０から受信した画像データを画像バス１１５に送信するためのタイミング調整と、画像バス１１５からプリンタ部１４０への画像データ送信のためのタイミング調整を行う。
【００３４】
スキャナ部１３０は、スキャナセンサーが生成した画像データに対し、画像形成装置１００に応じた補正、解像度変換、等の処理を行う。またスキャナ部１３０は、スキャナ部に原稿が設置されているかを検知する原稿検知部１３１を備える。
【００３５】
プリンタ部１４０は、プリント出力する画像データに対し、画像形成装置１００のプリントエンジンに応じた補正、解像度変換等の処理を行う。
【００３６】
図３は本発明の携帯端末３００の構成を示すブロック図である。
【００３７】
ＣＰＵ３０１は、携帯端末３００全体を制御する中央演算ユニットである。
【００３８】
ＲＡＭ３０２は、ＣＰＵ３０１が演算に用いるデータを一時的に格納する為のワークメモリである。
【００３９】
フラッシュＲＯＭ３０３は、ＣＰＵ３０１が使用するプログラムや各種データを格納するフラッシュＲＯＭである。
【００４０】
操作部３０４は、ユーザと携帯端末３００間での情報の入出力を行うものであり、ＬＣＤおよびタッチパネルにて構成される。
【００４１】
無線ＬＡＮ Ｉ／Ｆ３０６は、無線ＬＡＮ通信８００を介して外部機器との間でデータの送受信を行うためのインターフェースである。
【００４２】
ＮＦＣ制御部３０７は、ＮＦＣ通信７００を行うための制御を行う。
【００４３】
アンテナ３０８は、ＮＦＣ通信７００を行うためのアンテナであり、外部機器との間でＮＦＣ通信７００で発生する電波の送受信を行う。
【００４４】
ＣＰＵ３０１、ＲＡＭ３０２、フラッシュＲＯＭ３０３、操作部３０４、無線ＬＡＮＩ／Ｆ３０６およびＮＦＣ制御部３０７は、システムバス３０９を介して接続され、相互にデータの送受信が行われる。
【００４５】
図４はＮＦＣ制御部１０７の構成を示すブロック図である。
【００４６】
ＮＦＣ処理部４０１は、ＣＰＵ（不図示）やＣＰＵのワークメモリであるＲＡＭ（不図示）から構成されるＮＦＣに関する通信処理部であり、不揮発な記憶領域４０２、有線Ｉ／Ｆ４０３が接続されている。
【００４７】
記憶領域４０２は、カードエミュレーションで動作する際にリーダ／ライタから読み取ることが可能な情報が格納されている。
【００４８】
有線Ｉ／Ｆ４０３は、ＮＦＣ処理部４０１を介して記憶領域４０２に格納されており、画像形成装置を構成するＣＰＵ１０１を介して情報の書き込みや読み出しを行う為のＩ／Ｆであり、システムバス１１４と接続される。
【００４９】
図４におけるＮＦＣ制御部は、画像形成装置１００が備えるＮＦＣ制御部１０７のブロック図として説明したが、携帯端末３００が備えるＮＦＣ制御部３０７も同様の構成を取るため、ここでは説明を省略する。
【００５０】
図５は画像形成装置と携帯端末の離れた状態と近接した状態を示す図である。ここでは、画像形成装置１００はリーダ／ライタで動作し、携帯端末３００はカードエミュレーションで動作している例を示す。
【００５１】
図５（ａ）は画像形成装置１００と携帯端末３００が離れた状態を示す。携帯端末３００に備えるＮＦＣ制御部３０７が、画像形成装置１００に備えるＮＦＣ制御部１０７と近距離無線通信を行える範囲外にある状態である。この状態では画像形成装置１００は、携帯端末３００が備えるＮＦＣ制御部１０７の記憶領域４０２に格納された情報を読み書き不可能である。
【００５２】
図５（ｂ）は画像形成装置１００と携帯端末３００が近接した状態を示す。携帯端末３００に備えるＮＦＣ制御部３０７が、画像形成装置１００に備えるＮＦＣ制御部１０７と近距離無線通信を行える範囲内にある状態である。この状態では画像形成装置１００は、携帯端末３００が備えるＮＦＣ制御部１０７の記憶領域４０２に格納された情報を読み書き可能である。
【００５３】
次に図６、図７を用いて画像形成装置１００が読み取った原稿を、携帯端末３００に送信する処理を例に、画像形成装置１００と携帯端末３００の処理をそれぞれ説明する。ここで、画像形成装置１００と携帯端末３００との通信は図１に示すようなネットワークにより行われる。
【００５４】
図６は携帯端末３００を用いて画像形成装置１００に原稿読み取り指示を送信する処理を説明するフローチャートである。本制御は、特に記載がなければ基本的にＣＰＵ１０１により実行される。
【００５５】
はじめに、携帯端末３００において画像形成装置１００を操作するためのアプリケーションを起動した後、ステップＳＢ６０１において携帯端末３００が画像形成装置１００に接続する為の接続手続きを行う。
【００５６】
携帯端末３００は画像形成装置１００の接続が確立されるまで処理を待機する（ステップＳＡ６０１）。ここで、において携帯端末３００と画像形成装置１００の接続が確立されると（ステップＳＡ６０１とステップＳＢ６０２でそれぞれＹｅｓ）、携帯端末３００は画像形成装置１００に対してユーザ情報１を送信する（ステップＳＢ６０３）。ここでユーザ情報とは、社員番号やユーザＩＤといった、携帯端末３００を操作するユーザを特定することができる固有の情報を指す。ユーザ情報はアプリケーションにあらかじめ設定しておいても良いし、アプリケーションから処理設定を送信する際にユーザによって設定可能にしても良い。
【００５７】
画像形成装置１００は、ステップＳＡ６０２において携帯端末３００から受信したユーザ情報１をＨＤＤに格納した後、ステップＳＡ６０３において携帯端末３００から処理の設定を受信するまで待機する。図７（ａ）に携帯端末３００で動作するアプリケーションによる読み取り処理の設定例を示す。ユーザによって携帯端末３００で動作するアプリケーションが操作され、処理設定完了後に携帯端末３００の操作部３０４に表示された実行開始ボタン３１０が押されると（ステップＳＢ６０４でＹｅｓ）、画像形成装置１００に処理設定を送信する（ステップＳＢ６０５）。ここで処理設定とは、読み取った原稿データの送信先や読み取り解像度、出力ファイル形式、読み取り原稿の片面／両面設定等を指し、またこれに限らない。
【００５８】
画像形成装置１００は、携帯端末３００から処理設定を受信すると（ＳＡ６０３でＹｅｓ）、携帯端末３００に対して原稿設置要求（ステップＳＡ６０４）とユーザ情報入力要求（ステップＳＡ６０５）を行う。ステップＳＡ６０５の後、携帯端末３００は操作部３０４に原稿設置とユーザ情報２の入力を促すメッセージを表示する（ステップＳＢ６０６）。このメッセージの表示例を図７（ｂ）に示す。
【００５９】
次に、携帯端末３００は、ユーザによってアプリケーションで設定または入力されたユーザ情報１をＮＦＣ制御部３０７の記憶領域４０２に書き込む（ステップＳＢ６０７）。その後、図７（ｂ）に示すような表示を見たユーザが画像形成装置１００に近接することで、画像形成装置１００のスキャナ部１３０に原稿が設置される。
【００６０】
その後、携帯端末３００のアンテナ３０８が、画像形成装置１００のアンテナ１０８に近接した状態になると、記憶領域４０２に書き込まれたユーザ情報２が画像形成装置１００のＮＦＣ制御部１０７によって読み込まれる。ただし、携帯端末３００が画像形成装置１００に近接する際は、画像形成装置１００のＮＦＣ制御部１０７は、リーダ／ライタで動作している必要があり、そうすることで画像形成装置１００にユーザ情報が入力される。
【００６１】
画像形成装置１００にユーザ情報２が入力されると（ステップＳＡ６０６でＹｅｓ）、画像形成装置１００はＨＤＤ１０４に格納されたユーザ情報１とステップＳＡ６０６で入力されたユーザ情報２が一致するかどうかを判断する（ステップＳＡ６０７）。ユーザ情報１とユーザ情報２が一致すると判断された場合（ステップＳＡ６０７でＹｅｓ）、操作部１２０に対して原稿読み取り実行が可能である旨を通知し（ステップＳＡ６０８）、スキャナ部１３０に設置された原稿の読み取りを開始する（ステップＳＡ６０９）。
【００６２】
次に、読み取られた原稿はステップＳＡ６１０において、ＬＡＮ６００を介して携帯端末３００に送信され、携帯端末３００は、画像形成装置１００から送信された原稿を受信する（ステップＳＢ６０８）。また、ＳＡ６０７においてユーザ情報１とユーザ情報２が一致しなかった場合（ステップＳＡ６０７でＮｏ）、操作部１２０に原稿読み取り不可能であることを通知し（ステップＳＡ６１１）、処理を終了する。
【００６３】
以上で説明したように、本発明の実施形態によれば、原稿を設置した後に、原稿読み取り指示を実行する際にユーザが画像形成装置１００の前を離れる必要がないため、原稿を持ち去られることを防止できる。このように、原稿を設置した後に、ユーザによって画像形成装置１００にユーザ情報２が入力された時点で、画像形成装置１００によって原稿の読み取りが開始される。つまり、原稿を設置したユーザが確実に原稿読み取り指示の実行を行うことが可能である。
【００６４】
図６、図７の例では画像形成装置１００で読み取った原稿の送信先を携帯端末３００に設定する例を示したが、これに限らずＥｍａｉｌアドレス等を設定しても良い。また、読み取られた原稿は、携帯端末やその他のＥｍａｉｌアドレスに送信されるだけでなく、原稿読み取り後にプリントされても良い（コピー動作）。また、これに限らず、図６に記載の処理はスキャナ部１３０を用いるその他の処理に適用できる。
【００６５】
また、図６のフローチャートでは、携帯端末３００が備えるＮＦＣ制御部３０７をカードエミュレーションモードで動作させ、携帯端末３００を画像形成装置１００に近接させることでユーザ情報２を入力する例を説明した。しかし、これに限らず携帯端末３００の構成とは別にＲＦＩＤタグ等を用いた認証カードを用いても良いし、画像形成装置１００の操作部１２０を用いてユーザ情報２を入力しても良い。その場合は、ステップＳＢ６０７は省略される。
【００６６】
［第２の実施形態］
次に、図８を用いて、本発明を実施する為の第２の実施形態について説明する。
【００６７】
図８は第１の実施形態における図６に記載の処理手順において、ユーザによって原稿設置前にユーザ情報２が入力された場合の処理手順を示すフローチャートである。図８に記載の処理フローにおいて図６と異なる点は、ステップＳＡ８１２〜ステップＳＡ８１４が追加されている点である。それ以外の処理フローに関しては第１の実施形態と同様であるため、ここでは説明を省略する。
【００６８】
図８のステップＳＡ６０７においてユーザ情報１とユーザ情報２が一致したと判断された場合（ステップＳＡ６０７でＹｅｓ）、スキャナ部１３０が備える原稿検知部１３１によって、原稿が設置されているかを判断する。その結果、原稿が設置されていると判断された場合は（ステップＳＡ８１２でＹｅｓ）、図６に記載の処理フローと同様にステップＳＡ６０８に処理を進める。しかし、ステップＳＡ８１２において、原稿が設置されていないと判断された場合（ステップＳＡ８１２ｄｅＮｏ）、ステップＳＡ８１３において操作部１２０にユーザに対して原稿を設置するようメッセージを表示し、また原稿設置完了ボタンを表示する。ここで、ユーザによって原稿設置ボタンが押されるまで待機し、原稿設置ボタンが押された場合（ＳＡ８１４でＹｅｓ）、ステップＳＡ８１２に戻り原稿がスキャナ部１３０に設置されたかどうか判断する、といった手順を繰り返す。
【００６９】
前述したように第２の実施形態によれば、ユーザがユーザ情報２の入力と原稿設置の手順を意識することなく、第１に記載の実施形態の処理を行うことができる。
【符号の説明】
【００７０】
１００  画像形成装置、２００  パーソナルコンピュータ（ＰＣ）、
３００  携帯端末、５００  無線ＬＡＮアクセスポイント、
６００  ローカルエリアネットワーク
【図１】
2017028470.tif 000003
【図２】
2017028470.tif 000004
【図３】
2017028470.tif 000005
【図４】
2017028470.tif 000006
【図５】
2017028470.tif 000007
【図６】
2017028470.tif 000008
【図７】
2017028470.tif 000009
【図８】
2017028470.tif 000010